(57)【要約】【課題】ブラッシング時の毛髪へのダメージを低減することができるヘアブラシを提供すること。【解決手段】ヘアブラシ１０は、棒状突起が立設されたブラシ面１３を有するヘッド部１２と柄１２ｃとを有している。ブラシ面１３は、長手方向Ｘ及び該長手方向と直交する幅方向Ｙを有している。ヘアブラシ１０は、ブラシ面１３に、断面積が０．１０ｍｍ２以上０．３ｍｍ２以下の第１突起１５，１７が、相互間に間隔を設けて１本ずつ独立した状態で設けられた第１突起領域Ａを有している。第１突起領域Ａは、１０ｍｍ四方当たり５本以上１０本以下の存在密度で設けられた細突起領域Ａ１を有している。【選択図】図２
2020080880.tif 000002
【特許請求の範囲】
【請求項１】
棒状突起が立設されたブラシ面を有するヘッド部と柄とを有するヘアブラシであって、
前記ブラシ面は、長手方向及び該長手方向と直交する幅方向を有しており、
前記ブラシ面に、断面積が０．１０ｍｍ２以上０．３０ｍｍ２以下の複数の第１突起が、相互間に間隔を設けて１本ずつ独立した状態で設けられた第１突起領域を有しており、
前記第１突起領域は、前記第１突起が１０ｍｍ四方当り５本以上１０本以下の存在密度で設けられた細突起領域を有している、ヘアブラシ。
【請求項２】
前記細突起領域は、前記幅方向の中央域に形成され、該細突起領域の前記幅方向の長さが、前記ブラシ面の前記幅方向の全長に対して２０％以上８５％以下である、請求項１に記載のヘアブラシ。
【請求項３】
前記第１突起領域は、前記長手方向に延びて形成されている、請求項１又は２に記載のヘアブラシ。
【請求項４】
前記幅方向において前記第１突起領域を挟む両側それぞれに、断面積が０．３０ｍｍ２超の複数の突起が設けられた太突起領域を有している、請求項１〜３の何れか１項に記載のヘアブラシ。
【請求項５】
前記細突起領域において、第１突起が前記長手方向に直列した第１突起列を前記幅方向に複数列有しており、
前記第１突起列の配置ピッチが２ｍｍ以上５ｍｍ以下であり、
前記第１突起列中の前記第１突起の配置ピッチが３ｍｍ以上７ｍｍ以下であり、且つ隣り合う前記第１突起列の前記第１突起の前記長手方向の位置が半ピッチ分ずれている、請求項１〜４の何れか１項に記載のヘアブラシ。
【発明の詳細な説明】
【技術分野】
【０００１】
本発明は、ヘアブラシに関する。
【背景技術】
【０００２】
毛髪の手入れを行う際に使用するヘアブラシとして、複数本のブリッスル束を折り曲げ、その折り曲げた部分をブラシ面に埋めこむことによってブリッするからなる複数の突起を立設させたものが知られている。また、特許文献１には、平面視細長形状に形成された多数の凹部それぞれに、２つに折り曲げられた１本のブラシ毛がその折り曲げ部を凹部内に固定した状態で配設され、これら各ブラシ毛の一対の折り曲げ片同士が、凹部の長手方向に沿って所定の隙間をあけた状態で保持されているヘアブラシが記載されている。
【０００３】
また、特許文献２には、小径の球を先端に有する長軸ブリッスルと大径の球を先端に有する短軸ブリッスルとを組み合わせたものがブラシ基台に埋め込まれたヘアブラシが記載されている。特許文献２によれば、適度の強さで効率よくマッサージすることができる。
【先行技術文献】
【特許文献】
【０００４】
【特許文献１】特開２００５−３１９２１７号公報
【特許文献２】特開２００３−２４５１３１号公報
【発明の概要】
【発明が解決しようとする課題】
【０００５】
ところで、ヘアブラシを用いてブラッシングを行う際、該ヘアブラシの突起と毛髪との間の摩擦が大きいと、摩擦により毛髪がダメージを受け易い。またドライヤーで乾燥させた毛髪は、熱風に晒されて絡まり易い状態となっており、ヘアブラシの突起に引っ掛かり易く、そのような場合に、過度に力を加えてブラッシングすることは、一層、毛髪にダメージを与えやすくなる。特許文献１に記載のヘアブラシは、ブラシ毛の折り曲げ片間に毛髪が挟まることがあり、ブラッシング時に毛髪にダメージを与え易い。また特許文献２に記載のヘアブラシは、ブラッシング時の毛髪へのダメージを考慮したものではない。
【０００６】
従って、本発明の目的は、従来技術が有する種々の課題を解決し得るヘアブラシを提供することにある。
【課題を解決するための手段】
【０００７】
本発明は、棒状突起が立設されたブラシ面を有するヘッド部と柄とを有するヘアブラシであって、前記ブラシ面は、長手方向及び該長手方向と直交する幅方向を有しており、
前記ブラシ面に、断面積が０．３ｍｍ２以下の第１突起が、相互間に間隔を設けて１本ずつ独立した状態で設けられた第１突起領域を有しており、
前記第１突起領域は、前記第１突起が１０ｍｍ四方当たり５本以上１０本以下の存在密度で設けられた細突起領域を有している、ヘアブラシを提供するものである。
【発明の効果】
【０００８】
本発明のヘアブラシによれば、ブラッシング時の毛髪へのダメージを低減することができる。
【図面の簡単な説明】
【０００９】
【図１】図１は、本発明の一実施形態に係るヘアブラシの斜視図である。
【図２】図２は、図１に示すヘアブラシのブラシ面を示す斜視図である。
【図３】図３は、図１に示すヘアブラシにおける突起が立設された領域を模式的に示す平面図である。
【図４】図４は、図２のＩＩ-ＩＩ線断面図（ブラシ面の幅方向に沿う断面図）である。
【図５】図５は、突起の曲げ剛性の測定方法を説明する模式図である。
【図６】図６は、図３に示す第１突起の配列を模式的に示す平面図である。
【図７】図７（ａ）〜（ｃ）は、本発明に係る第１突起の立設態様を説明する断面図である。
【図８】図８は、本発明の別の実施形態に係るヘアブラシの図４相当図である。
【図９】図９は、本発明のさらに別の実施形態に係るヘアブラシの図４相当図である。
【発明を実施するための形態】
【００１０】
以下、本発明をその好ましい実施形態に基づき図面を参照しながら説明する。図１には、本発明に係るヘアブラシの一実施形態が示されている。本実施形態のヘアブラシ１０は、人の頭髪をブラッシングに用いられるヘアブラシであり、図１及び図２に示すように、柄１２ｃと、ブラシ面１３を有するヘッド部１２とを備えている。ヘッド部１２のブラシ面１３には、図２に示すように、複数の棒状の突起１５〜１７が立設されている。本実施形態においてブラシ面１３は、後述するヘッド部１２の装着開口１２ｂを閉塞するように、該ヘッド部１２にブラシ基部１３ａが嵌め込まれた状態において、該ブラシ基部１３ａの装着開口１２ｂから露出した部分である。立設とは、立った状態に設けることをいう。
【００１１】
ヘアブラシ１０は、毛髪の手入れを行う際に、柄１２ｃを手で把持し、ヘアブラシ１０を毛髪の根元側から毛先側に向かって移動させながら、ブラシ面１３に立設された複数の突起１５〜１７で毛髪をブラッシングする。
【００１２】
ヘアブラシ１０におけるブラシ面１３は、長手方向Ｘ及び該長手方向Ｘに直交する幅方向Ｙを有している。ブラシ面１３の長手方向Ｘは、柄１２ｃの長手方向に対応する方向であり、ブラシ面１３の幅方向Ｙは、ブラシ面の長手方向Ｘと直交する方向である。
ブラシ面１３は、ブラシ面１３の長手方向Ｘの長さが幅方向Ｙの長さ以上であり、通常、図２に示すように、長手方向Ｘの長さが幅方向Ｙの長さより長いことが好ましい。
【００１３】
ヘアブラシ１０は、突起の断面積が０．１０ｍｍ２以上０．３ｍｍ２以下の第１突起１５，１７を複数有している。本実施形態においては、断面積が０．１０ｍｍ２以上０．３０ｍｍ２以下であって、断面積が相互に異なる２種類の第１突起１５，１７を有している。これら第１突起１５，１７は、長さが同じである。本明細書において突起の断面積は、突起の突出方向に直交する断面の面積を意味する。本実施形態において、突起の突出方向は、ヘアブラシの厚み方向Ｚに対応する方向であり、突起の突出方向に直交する断面の面積は、ブラシ面と平行な平面による断面の面積である。
突起の突出方向において第１突起１５，１７の断面積が変化している場合、突起の断面積は、断面積の最大値を意味する。すなわち、第１突起１５，１７の断面積の最大値が０．３０ｍｍ２以下であればよい。また、本実施形態のように、第１突起１５，１７がその先端に球状体１５ａ，１７ａを有している場合、突起の断面積は、球状体１５ａ，１７ａを除く棒状の部分の断面積とする。
球状体１５ａ，１７ａを設ける場合、球状体１５ａ，１７ａの最大径部分の断面積は、頭皮への感触の点から、突起の断面積の１１０％以上４００％以下が好ましく、より好ましくは１２０％以上２５０％以下である。
【００１４】
複数の第１突起１５，１７は、図３に示すように、相互間に間隔を空けて１本ずつ独立した状態に設けられている。より具体的には、複数の第１突起１５，１７は散在しており、長手方向Ｘ及び幅方向Ｙに間隔を空けて配されている。本実施形態のヘアブラシ１０では、ブラシ面１３に設けられた植毛穴１８に、１本の突起が設けられている。このように、複数の第１突起が、相互間に間隔を設けて１本ずつ独立した状態で設けられた領域を、第１突起領域Ａともいう。
【００１５】
第１突起領域Ａは、前述した第１突起１５，１７が、ブラシ面１３に１０ｍｍ四方当たり５本以上１０本以下の存在密度で設けられた細突起領域Ａ１を有している。細突起領域Ａ１は、平面視において、第１突起領域Ａの全域に形成されていてもよく、第１突起領域Ａの一部に形成されていてもよい。本実施形態においては、第１突起領域Ａの全域に細突起領域Ａ１が形成されている。
【００１６】
第１突起領域Ａにおいて細突起領域Ａ１があるか否かの決定方法は以下の通りである。
〔細突起領域の特定方法〕
先ず、ブラシ面１３の複数の第１突起が形成された領域において、長手方向Ｘ及び幅方向Ｙの最も外方側に位置する第１突起の中心どうしを結んで形成される領域Ａを設定する。この領域Ａが第１突起領域である。次いで、１０ｍｍ四方の正方形領域ａを、その頂点の１つが、第１突起領域Ａ内の個々の第１突起と対応するように設定する。この正方形領域ａ内に含まれる第１突起の本数が５本以上１０本以下である場合、該正方形領域ａを細突起領域Ａ１又は細突起領域Ａ１の一部と判定する。平面視における前記正方形領域ａの外縁と第１突起とが重なっている場合、該正方形領域ａの外縁と重なる第１突起は、正方形領域ａ内に含まれる第１突起としてカウントしない。前記正方形領域ａに、断面積が０．３０ｍｍ２超の突起が含まれている場合、該正方形領域ａは細突起領域Ａ１ではないと判定する。このような判定は、正方形領域ａの１つの頂点を、長手方向Ｘ又は幅方向Ｙに隣り合う第１突起に順次ずらしながら行う。具体的には、正方形領域ａの４つの頂点のうち、何れか１つの頂点を選択し、その選択した頂点を第１突起領域Ａにおける全ての第１突起に合わせて、前記の判定を行う。第１突起の本数が５本以上１０本以下である正方形領域ａが、長手方向Ｘ及び幅方向の少なくとも一方に連続して存在する場合、その連続した領域全域が細突起領域となる。
【００１７】
ヘアブラシ１０は、細突起領域Ａ１を有していることにより、ブラッシング時において毛髪に過度の力が加わり難く、毛髪へのダメージを低減することができる。具体的には、第１突起１５，１７の断面積が比較的小さいため、剛性が低く、毛髪と接触しても撓み易い。第１突起１５，１７が撓むことで、毛髪に加わる荷重を低減することができる。しかも、細突起領域Ａ１は、相互間に間隔を設けて１本ずつ独立した状態の第１突起１５，１７が、前述した本数で設けられているため、第１突起１５，１７どうしの間を毛髪が通り易く、過度の力を加えなくてもブラッシングを行うことができる。特にドライヤー等を用いて、熱風に晒されながら乾燥させた毛髪は、毛髪どうしが絡まり易く、ブラッシングの際に絡まってヘアブラシの突起に引っ掛かり易くなっているが、ヘアブラシ１０は、細突起領域Ａ１において毛髪を通し易いため、毛髪の引っ掛かりを抑制すると共に、軽い荷重でブラッシングすることができる。このようにしてヘアブラシ１０は、ブラッシング時の毛髪へのダメージを低減することができる。
【００１８】
一方、細突起領域Ａ１を有していないヘアブラシでは、突起の剛性が高いため、毛髪に過度の荷重を加えてしまうことがある。また、ブラシ面の植毛穴に複数の突起が設けられていたり、細突起領域Ａ１より突起の存在密度が高いと、毛髪が該突起に引っ掛かり易くなる。
【００１９】
ヘアブラシ１０は、細突起領域Ａ１を１００ｍｍ２超有していることが好ましい。例えば、細突起領域Ａ１が平面方向に連続していてもよく、複数の細突起領域Ａ１がブラシ面１３上の複数個所に存在していても良い。ブラッシング時に毛髪に加えられる荷重をより低減する観点から、ブラシ面１３における細突起領域Ａ１の総面積は、仮領域Ｆの面積に対して好ましくは２０％以上、より好ましくは３０％以上、さらに好ましくは３５％以上であり、また好ましくは１００％以下、より好ましくは８０％以下、さらに好ましくは７０％以下であり、また好ましくは２０％以上１００％以下、より好ましくは３０％以上８０％以下、さらに好ましくは３５％以上７０％以下である。「仮領域Ｆ」は、ブラシ面１３において、長手方向Ｘ及び幅方向Ｙの最も外方側に位置する突起の中心どうしを結んで形成される領域である。ここで、仮領域Ｆの外縁を形成する突起は、第１突起１５，１７に限られない。即ち、仮領域Ｆの外縁を形成する突起の断面積が０．３０ｍｍ２超であってもよい。
上記と同様の観点から、ブラシ面１３における細突起領域Ａ１の面積は、第１突起領域Ａの面積に対して好ましくは２０％以上、より好ましくは３０％以上、さらに好ましくは３５％以上であり、また好ましくは１００％以下、より好ましくは９０％以下、さらに好ましくは８０％以下であり、また好ましくは２０％以上１００％以下、より好ましくは３０％以上９０％以下、さらに好ましくは３５％以上８０％以下である。細突起領域Ａ１の面積が、第１突起領域Ａの面積に対して１００％とは、第１突起領域Ａの全域に細突起領域Ａ１が形成されていることを意味する。
上記と同様の観点から、ブラシ面１３における細突起領域Ａ１の総面積は、好ましくは１０００ｍｍ２以上、より好ましくは１３００ｍｍ２以上、さらに好ましくは１５００ｍｍ２以上であり、また好ましくは３５００ｍｍ２以下、より好ましくは３０００ｍｍ２以下、さらに好ましくは２５００ｍｍ２以下であり、また好ましくは１０００ｍｍ２以上３５００ｍｍ２以下、より好ましくは１３００ｍｍ２以上３０００ｍｍ２以下、さらに好ましくは１５００ｍｍ２以上２５００ｍｍ２以下である。
【００２０】
ブラッシング時、細突起領域Ａ１において毛髪をより通し易くする観点から、細突起領域Ａ１における第１突起の総断面積の割合は、好ましくは０．８％以上、より好ましくは１％以上であり、また好ましくは３％以下、より好ましくは２．５％以下であり、また好ましくは０．８％以上３％以下、より好ましくは１％以上２．５％以下である。細突起領域Ａ１における第１突起の総断面積は、前述の〔細突起領域の特定方法〕により特定した細突起領域Ａ１内に含まれる第１突起の断面積の合計である。ただし、平面視における細突起領域Ａ１の外縁と第１突起とが重なっている場合、該第１突起の断面積の１／２を、前記総断面積として含むこととする。突起の突出方向において第１突起の断面積が変化している場合、その最大値を該第１突起の断面積とする。
ヘアブラシが連続する細突起領域Ａ１を１００ｍｍ２超有している場合、細突起領域Ａ１の一部が上記の範囲内であることが好ましく、細突起領域Ａ１の全域が上記の範囲内であることがより好ましい。また、ヘアブラシが複数の散在する細突起領域Ａ１を有している場合、一部の細突起領域Ａ１が上記の範囲内であることが好ましく、全ての細突起領域Ａ１が上記の範囲内であることがより好ましい。
【００２１】
第１突起１５，１７の断面積は、上述したように０．１０ｍｍ２以上０．３０ｍｍ２以下であるが、毛髪の流れを整えるブラッシング性能を確保すると共に、第１突起の剛性をより低くする観点から、第１突起の断面積は、好ましくは０．１２ｍｍ２以上、より好ましくは０．１５ｍｍ２以上であり、また好ましくは０．２８ｍｍ２以下、より好ましくは０．２７ｍｍ２以下であり、また好ましくは０．１２ｍｍ２以上０．２８ｍｍ２以下、より好ましくは０．１５ｍｍ２以上０．２７ｍｍ２以下である。突起の突出方向において第１突起の断面積が変化している場合、該断面積が上記範囲内であることが好ましい。
【００２２】
ブラッシング時に突起と毛髪が接触することによる抵抗力をより低減すると共に、ブラッシング性能を向上させる観点から、第１突起の長さＬ３（図４参照）は、好ましくは１４ｍｍ以上、より好ましくは１６ｍｍ以上、さらに好ましくは１８ｍｍ以上であり、また好ましくは２２ｍｍ以上、より好ましくは２１ｍｍ以下、さらに好ましくは２０ｍｍ以下であり、また好ましくは１４ｍｍ以上２２ｍｍ以下、より好ましくは１６ｍｍ以上２１ｍｍ以下、さらに好ましくは１８ｍｍ以上２０ｍｍ以下である。
【００２３】
細突起領域Ａ１における１０ｍｍ四方当りの第１突起１５，１７の存在密度は、５本以上１０本以下であるが、ブラッシング性能を確保すると共に、ブラッシングの容易性を向上させる観点から、細突起領域Ａ１における１０ｍｍ四方当りの第１突起１５，１７の存在密度は、好ましくは６本以上であり、また好ましくは９本以下であり、また好ましくは６本以上９本以下である。
【００２４】
本実施形態において細突起領域Ａ１は、図３に示すように、ブラシ面１３の幅方向Ｙの中央域に、より詳細には、第１突起領域Ａの幅方向Ｙの中央域に形成されている。斯かる構成により、ブラッシング時の毛髪の引っ掛かりをより抑制することができる。
上記の効果をより向上させる観点から、細突起領域Ａ１は、長手方向Ｘの長さＬ１（図３参照）が、ブラシ面１３の長手方向Ｘの全長Ｌ（図２参照）に対して好ましくは７０％以上、より好ましくは８０％以上であり、また好ましくは９５％以下、より好ましくは９３％以下であり、また好ましくは７０％以上９５％以下、より好ましくは８０％以上９３％以下である。
【００２５】
細突起領域Ａ１の長手方向Ｘの長さＬ１（図３参照）は、前述した〔細突起領域の特定方法〕によって特定された細突起領域の長手方向Ｘにおける前端と後端との間の長さである。長手方向Ｘにおける前端とは、同方向Ｘの柄１２ｃとは反対側の端部であり、長手方向Ｘにおける後端とは、同方向Ｘの柄１２ｃ側の端部である。
【００２６】
ブラッシング時の毛髪の引っ掛かりをより抑制する観点から、細突起領域Ａ１は、幅方向Ｙの長さＷ１（図３参照）が、ブラシ面１３の幅方向Ｙの全長Ｗ（図２参照）に対して好ましくは２０％以上、より好ましくは３０％以上、さらに好ましくは３５％以上であり、また好ましくは９５％以下、より好ましくは８５％以下、さらに好ましくは７５％以下であり、また好ましくは２０％以上９５％以下、より好ましくは３０％以上８５％以下、さらに好ましくは３５％以上７５％以下である。
【００２７】
細突起領域Ａ１の幅方向Ｙの長さＷ１（図３参照）は、前述した〔細突起領域の特定方法〕によって特定された細突起領域の幅方向Ｙの一端と他端との間の長さである。
【００２８】
ブラッシング時に毛髪に加えられる荷重をより低減する観点から、細突起領域Ａ１は、ブラシ面１３の幅方向Ｙの全長Ｗを二等分する二等分線ＣＬから両側それぞれに好ましくは２０ｍｍ以下、より好ましくは１５ｍｍ以下の範囲に亘って配されていることが好ましい。
【００２９】
ブラッシング時の毛髪の引っ掛かりをより抑制すると共に、ブラッシングをより容易に行う観点から、細突起領域Ａ１の幅方向Ｙの長さＷ１を二等分する二等分線は、ブラシ面１３の前記二等分線ＣＬと一致していることが好ましい。
【００３０】
本実施形態のヘアブラシ１０は、第１突起として、断面積が相互に異なる２種類の突起１５，１７を有している。説明の便宜上、本実施形態における第１突起のうち、断面積が小さい方の突起を第１小突起１５ともいい、断面積が大きい方の突起を第１大突起１７ともいう。第１大突起１７の断面積は、断面積が０．３ｍｍ２以下であることを条件として、第１小突起１５の断面積に対して好ましくは１１０％以上、より好ましくは１３０％以上であり、また好ましくは１８０％以下、より好ましくは１５０％以下であり、また好ましくは１１０％以上１８０％以下、より好ましくは１３０％以上１８０％以下である。突起の突出方向において突起の断面積が変化している場合、その最大値を該太突起の断面積とする。
【００３１】
本実施形態のヘアブラシ１０は、図３に示すように、ブラシ面１３の幅方向Ｙの中央領域Ｍと、該中央領域Ｍを挟む一対のサイド領域Ｓ，Ｓとで、断面積が相互に異なる突起を有している。具体的には、中央領域Ｍは細突起領域Ａ１となっており、複数の第１小突起１５及び第１大突起１７が長手方向Ｘ及び幅方向Ｙそれぞれに配列されている。サイド領域Ｓ，Ｓには、断面積が０．３ｍｍ２超の第２突起１６が配されている。従って、第２突起１６は、第１突起１５，１７より断面積が大きい。本実施形態において第２突起１６は、第１突起１５，１７よりも長さが短く、幅方向Ｙにおいて最も外方に配されている。これら突起１５，１６，１７の長さＬ３，Ｌ５，Ｌ７は、突起のブラシ面１３から先端までの長さである（図４参照）。
サイド領域Ｓ，Ｓにおいて、第２突起１６はそれぞれ、長手方向Ｘに沿って複数形成されている。
【００３２】
本実施形態のように、ヘアブラシ１０は、ブラシ面１３における第１突起領域Ａを挟む両側それぞれに、断面積が０．３ｍｍ２超の第２突起１６（以下、太突起とも称する）を有する太突起領域Ｂを有していることが好ましい。太突起領域Ｂは、各サイド領域Ｓ，Ｓにおいて、長手方向Ｘ及び幅方向Ｙの最も外方側に位置する太突起の中心どうしを結んで形成される領域である。第１突起１５，１７より断面積を大きくして、剛性を高くした第２突起１６をサイド領域Ｓ，Ｓに設けることで、ブラッシング時に毛髪どうしの絡まりを容易に解くことができる。具体的には、第２突起１６は、第１突起１５，１７よりも幅方向Ｙの外方に位置するため、該第２突起１６が優先的に毛髪の絡まりと当接する。これにより、剛性が高い第２突起１６によって、毛髪の絡まりを効果的に解くことができる。
【００３３】
上記の効果をより確実に奏させる観点から、太突起である第２突起１６の断面積は、第１突起の断面積に対して好ましくは３００％以上、より好ましくは５００％以上であり、また好ましくは１０００％以下、より好ましくは９００％以下であり、また好ましくは３００％以上１０００％以下、より好ましくは５００％以上９００％以下である。突起の突出方向において太突起の断面積が変化している場合、その最大値を該太突起の断面積とする。本実施形態のように、断面積の異なる第１突起が複数種類存在する場合、該第１突起のうち、最も断面積の小さい突起の断面積に対する、第２突起１６の断面積の割合（％）が、上述した範囲であることが好ましい。
【００３４】
本実施形態のヘアブラシ１０は、太突起として、断面積が同一の第２突起１６を複数有しているが、断面積が相互に異なる太突起を有していてもよい。この場合、毛髪どうしの絡まりをより容易に解くと共に、毛髪の引っ掛かりをより抑制する観点から、サイド領域Ｓにおいて、幅方向Ｙの最も外方側に配される太突起の断面積は、幅方向Ｙの最も内方側に配される太突起の断面積よりも大きいことが好ましい。
上記の効果をより確実に奏させる観点から、サイド領域Ｓにおいて、断面積が最も大きい太突起の断面積は、断面積が最も大きい第１突起の断面積に対して好ましくは１００％超、より好ましくは４００％以上であり、また好ましくは８００％以下、より好ましくは６００％以下であり、また好ましくは１００％超８００％以下、より好ましくは４００％以上６００％以下である。
【００３５】
本実施形態において各突起１５，１６，１７それぞれは、ブラシ面１３に対し略垂直に立設している。斯かる構成により、ブラッシング時に毛髪に加えられる荷重をより低減することができる。
第２突起１６の剛性を高める観点から、第２突起１６の長さＬ５（図４参照）は、第１突起１５，１７の長さＬ３，Ｌ７（図４参照）に対して好ましくは４０％以上、より好ましくは５０％以上であり、また好ましくは１００％以下、より好ましくは８０％以下であり、また好ましくは４０％以上１００％以下、より好ましくは５０％以上８０％以下である。
また、ブラッシングを効率的に行う観点から、第２突起の長さＬ５を第１大突起１７の長さＬ７より短くすることが好ましい。即ち、第１大突起１７の長さＬ７を第２突起の長さＬ５より長くすることが好ましい。斯かる構成により、毛髪に各突起を挿入して、ヘアブラシ１０で毛髪を梳くと、毛髪どうしの強い絡まりを第２突起で解くことができ、さらに第１小突起１５より剛性が高い第１大突起１７によって、該突起の先端側で、毛髪どうしの弱い絡まりを効率的に解くと共に、毛髪の流れを効果的に整えることができる。第１大突起１７の長さＬ７（図４参照）は、第１小突起１５の長さＬ３（図４参照）に対して好ましくは８５％以上、より好ましくは９５％以上であり、また好ましくは１００％以下、より好ましくは１００％以下であり、また好ましくは８５％以上１００％以下、より好ましくは９５％以上１００％以下である。
【００３６】
各突起の剛性は、曲げ剛性で表すことができ、第１突起１５、１７は、第２突起１６より曲げ剛性が低い。また、本実施形態における第１小突起１５は、第１大突起１７より曲げ剛性が低い。
ブラッシング時に突起と毛髪が接触することによる抵抗力をより低減する観点から、第１小突起１５の曲げ剛性は、好ましくは０．０４Ｎ以上、より好ましくは０．０５Ｎ以上であり、また好ましくは０．１３Ｎ以下、より好ましくは０．１Ｎ以下、さらに好ましくは０．０８Ｎ以下であり、また好ましくは０．０４Ｎ以上０．１３Ｎ以下、より好ましくは０．０４Ｎ以上０．１Ｎ以下、さらに好ましくは０．０５Ｎ以上０．０８Ｎ以下である。
上記と同様の観点から、第１大突起１７の曲げ剛性は、第１小突起１５の曲げ剛性に対して好ましくは１３０％以上、より好ましくは１５０％以上であり、また好ましくは２３０％以下、より好ましくは２００％以下であり、また好ましくは１３０％以上２３０％以下、より好ましくは１５０％以上２００％以下である。
ブラッシング時の前記抵抗力をより低減すると共に、ブラッシング性能を向上させる観点から、第２突起１６の曲げ剛性は、第１小突起１５の曲げ剛性に対して好ましくは２００％以上、より好ましくは２５０％以上であり、また好ましくは４５０％以下、より好ましくは３５０％以下であり、また好ましくは２００％以上４５０％以下、より好ましくは２５０％以上３５０％以下である。
突起の曲げ剛性（Ｎ）は、フォースゲージ（日本電産シンポ社製）用い、下記の方法で測定することができる。
【００３７】
〔曲げ剛性の測定方法〕
フォースゲージ（日本電産シンポ社製、品番ＦＧＰ−５）を用いて、１本の突起Ｐｒの先端に６ｍｍφの端子を当接させ、測定環境２０℃、６５％ＲＨ、速度３０ｍｍ／ｍｉｎで、突起Ｐｒがその突出方向に対して曲がるように、荷重を水平方向に負荷させて、該突起Ｐｒを撓ませる（図５参照）。この際、突起Ｐｒの先端の移動距離が水平方向に１０ｍｍとなるまで、突起Ｐｒに荷重を負荷したときの最大強度を測定する。前記最大強度は３本の突起Ｐｒについて測定し、その平均値を曲げ剛性とする。
【００３８】
ブラッシング時の前記抵抗力を小さくすると共に、毛髪どうしの絡まりを容易に解く観点から、太突起領域Ｂには、太突起が長手方向Ｘに直列した太突起列を、幅方向Ｙに複数列有していることが好ましい。例えば、本実施形態において、各太突起領域Ｂは、第２突起１６が長手方向Ｘに直列した第２突起列Ｊ３を有している。本実施形態の各太突起領域Ｂは、２本の第２突起列Ｊ３を有している。太突起列の列数は特に制限されないが、上記の効果をより確実に奏させる観点から、太突起領域Ｂにおける太突起列の列数は、好ましくは１本以上５本以下、より好ましくは１本以上３本以下である。
【００３９】
毛髪どうしの絡まりを容易に解く観点から、太突起領域Ｂは、長手方向Ｘに延びて形成されていることが好ましく、長手方向Ｘの長さが幅方向Ｙの長さに比して長いことがより好ましい。上記と同様の観点から、太突起領域Ｂの長手方向Ｘの長さＬ２（図３参照）は、ブラシ面１３の長手方向Ｘの全長Ｌ（図２参照）に対して好ましくは７０％以上、より好ましくは８０％以上であり、また好ましくは９５％以下、より好ましくは９３％以下であり、また好ましくは７０％以上９５％以下、より好ましくは８０％以上９３％以下である。
【００４０】
上記と同様の観点から、太突起領域Ｂの幅方向Ｙの長さＷ２（図３参照）は、ブラシ面１３の幅方向Ｙの全長Ｗ（図２参照）に対して好ましくは５％以上、より好ましくは１０％以上であり、また好ましくは３０％以下、より好ましくは２５％以下であり、また好ましくは５％以上３０％以下、より好ましくは１０％以上２５％以下である。
【００４１】
ヘアブラシ１０は、図３に示すように、第１突起が長手方向Ｘに直列した第１突起列Ｊ１，Ｊ５を幅方向Ｙに複数列有している。具体的には、ヘアブラシ１０は、第１突起列として、複数の第１小突起１５が長手方向Ｘに直列した第１小突起列Ｊ１と、複数の第１大突起１７が長手方向Ｘに直列した第１大突起列Ｊ５とを有している。ヘアブラシ１０は、第１小突起列Ｊ１を複数列有し、該複数の第１小突起列Ｊ１が幅方向Ｙに相互に離間して配されている。また、第１大突起列Ｊ５は、第１小突起列Ｊ１よりも幅方向Ｙの外方に位置している。細突起領域Ａ１における第１大突起列Ｊ５は、１列でもよく、複数列であってもよい。ヘアブラシ１０において第１小突起１５は、図３に示すように、複数の第１小突起１５が一定の間隔で長手方向Ｘに沿って直列した第１小突起列Ｊ１と、複数の第１小突起１５が一定の間隔で幅方向Ｙに沿って直列した幅方向第１小突起列Ｊ２とを形成するように配置されている。幅方向Ｙにおいて隣り合う第１小突起列Ｊ１どうしは、第１小突起１５の配置位置が、長手方向Ｘに半ピッチ分ずれており、長手方向Ｘにおいて隣り合う幅方向第１小突起列Ｊ２どうしは、第１小突起１５の配置位置が、幅方向Ｙに半ピッチ分ずれている。このように、細突起領域Ａ１において第１小突起１５は、千鳥状に配置されていることが好ましい。
【００４２】
ブラッシング時に毛髪に加えられる荷重をより低減する観点から、細突起領域Ａ１における第１小突起列Ｊ１の列数は特に制限されないが、好ましくは４本以上１０本以下、より好ましくは６本以上８本以下である。上記と同様の観点から、細突起領域Ａ１における第１大突起列Ｊ５の列数は、好ましくは１本以上３本以下である。
【００４３】
ブラッシングを効果的に行う観点から、第１小突起列Ｊ１の配置ピッチＰ１（図６参照）は、好ましくは２ｍｍ以上、より好ましくは２．５ｍｍ以上であり、また好ましくは５ｍｍ以下、より好ましくは４ｍｍ以下であり、また好ましくは２ｍｍ以上５ｍｍ以下、より好ましくは２．５ｍｍ以上４ｍｍ以下である。第１小突起列Ｊ１の配置ピッチＰ１は、幅方向Ｙに隣り合う第１小突起列Ｊ１間の離間距離であり、幅方向Ｙにおけるこれら第１小突起列Ｊ１を構成する第１小突起１５の中心間の最短距離である。
上記と同様の観点から、第１小突起列Ｊ１中の第１小突起１５の配置ピッチＰ３（図６参照）は、好ましくは３ｍｍ以上、より好ましくは４ｍｍ以上であり、また好ましくは７ｍｍ以下、より好ましくは６．５ｍｍ以下であり、また好ましくは３ｍｍ以上７ｍｍ以下、より好ましくは４ｍｍ以上６．５ｍｍ以下である。第１小突起列Ｊ１中の第１小突起１５の配置ピッチＰ３は、第１小突起列Ｊ１中の長手方向Ｘに隣り合う第１小突起１５の中心間の距離である。第１小突起列Ｊ１と第１大突起列Ｊ５との離間距離は、第１小突起列Ｊ１の配置ピッチＰ１と同じであることが好ましい。また、ヘアブラシが第１大突起列Ｊ５を複数列有する場合、第１大突起列Ｊ５の配置ピッチ、即ち、幅方向Ｙに隣り合う第１大突起列Ｊ５間の離間距離は、第１小突起列Ｊ１の配置ピッチＰ１と同じであることが好ましい。第１大突起列Ｊ５中の第１大突起１７の配置ピッチは、第１小突起列Ｊ１中の第１小突起１５の配置ピッチＰ３と同じ範囲であることが好ましい。第１大突起列Ｊ５中の第１大突起１７の配置ピッチは、第１大突起列Ｊ５中の長手方向Ｘに隣り合う第１大突起１７の中心間の距離である。
また、第１大突起列Ｊ５は、幅方向Ｙにおいて隣り合う第１小突起列Ｊ１に対し、第１大突起１７の配置位置が、長手方向Ｘに半ピッチ分ずれている。このように、細突起領域Ａ１において第１突起は、第１大突起１７も含めて千鳥状に配置されていることが好ましい。
なお、上述した第１突起列の配置ピッチ、及び第１突起列Ｊ１中の第１突起の配置ピッチは、ブラシ面１３を平面視したときの、第１突起の先端の中心どうしの離間距離である。
【００４４】
本実施形態のヘアブラシ１０は、ヘッド基部１２ａと柄１２ｃとが一体成形された基台本体１１、及び該ヘッド基部１２ａに固定されるブラシ基部１３ａを備えている。基台本体１１は、ヘッド基部１２ａの長手方向Ｘの一端側に柄１２ｃが延設されており、該ヘッド基部１２ａと柄１２ｃとが連続している。ヘッド部１２は、図４に示すように、ブラシ面１３を有するブラシ基部１３ａと、矩形形状の装着開口１２ｂを有するヘッド基部１２ａとを含んで構成されている。ヘッド基部１２ａの片方の面には、装着開口１２ｂが形成されており、該装着開口１２ｂを閉塞するようにブラシ基部１３ａが嵌め込まれ固定されている。
【００４５】
本実施形態において、第１突起１５，１７は、個々の植毛穴１８に対して１本ずつのみ立設された植毛突起である。
ブラシ基部１３ａのブラシ面１３には、第１突起１５，１７が立設される植毛穴１８が長手方向Ｘ及び幅方向Ｙに分散した状態に複数形成されており、該植毛穴１８から突起１５，１７が突出している。ブラシ面１３に形成される植毛穴１８は、図７（ａ）に示すように、有底の凹陥部であってもよく、図７（ｂ）及び（ｃ）に示すようにブラシ基部１３ａをその厚み方向に貫通する貫通孔であってもよい。植毛穴１８が前記凹陥部である場合、図７（ａ）に示すように、該凹陥部に棒状体を平線１９で２つ折りにして形成された突起が立設されていてもよい。この場合、毛髪の引っ掛かりをより抑制する観点から、突起は、平線１９を用いて、折り部の片側のみが植毛穴１８から突出するように固定された棒状体から形成されていることが好ましい。平線１９としては、真鍮等の金属で形成されたものが挙げられる。また、植毛穴１８が前記貫通孔である場合、該貫通孔に棒状体を挿入することにより、突起が立設されていてもよい。この場合、突起は、図７（ｂ）に示すように、該突起のブラシ面１３とは反対側の端部に形成された留め部２１によって固定されていてもよく、図７（ｃ）に示すように、突起のブラシ面１３とは反対側の端部が固定部２３によって固定されていてもよい。留め部２１及び固定部２３としては、突起の形成材料と同じ材料からなるものを用いることが好ましい。
【００４６】
第２突起１６は、第１突起１５，１７と同様に植毛突起であってもよく、ブラシ面１３又は該ブラシ面１３の下に配された連続部と一体に成形された成形突起であってもよい。ブラシ面１３の下に配された連続部とは、ブラシ基部１３ａの下に設けられ、複数の突起のブラシ面１３とは反対側の片端部どうしを連結するものである。ブラッシング性能を向上させる観点から、第２突起１６は、前記成形突起であることが好ましい。
【００４７】
上述した各突起の形状は特に制限されず、先端に向けて先細りの形状であってもよく、突起の突出方向において断面積が同じ形状であってもよい。ブラッシング時の前記抵抗力をより低減する観点から、第１突起１５，１７は、突起の突出方向において断面積が同じ形状を有していることが好ましい。このような形状としては、例えば円柱、楕円柱状、角柱状等が挙げられる。
剛性をより高める観点から、第２突起１６は、先端に向けて先細りの形状であることが好ましい。このような形状としては、例えば円錐台状、角錐台状等が挙げられる。
【００４８】
上述した各突起はその先端に球状体を有していてもよく、有していなくともよい。本実施形態における第１突起１５，１７は、その先端に球状体１５ａ，１７ａを有している。このように、突起の先端に球状体を有していると、頭皮への当たりが柔らかくなる。
【００４９】
基台本体１１のヘッド基部１２ａは、例えば長手方向Ｘの長さが７０〜１３０ｍｍ程度、幅方向Ｙの長さが３０〜９０ｍｍ程度の大きさの平面視矩形形状に形成されている。基台本体１１の柄１２ｃは、平面視において台形形状に形成されており、ヘッド基部１２ａから長手方向Ｘに離れていくにつれ漸次幅が拡大している。より具体的には、柄１２ｃは、長手方向Ｘの長さが７０〜１３０ｍｍ程度、幅方向Ｙの短辺が１５〜２５ｍｍ、幅方向Ｙの長辺が２０〜３５ｍｍ程度の大きさの台形形状に形成されている。
ブラシ基部１３ａは、ヘッド基部１２ａの装着開口１２ｂの開口形状に略一致する平面視矩形形状を有している。
【００５０】
基台本体１１やブラシ基部１３ａは、合成樹脂からなるプラスチック製の成形品である。前記合成樹脂としては、ポリブチレンテレフタレート、ポリエチレンテレフタレート等のポリエステル樹脂、ＡＢＳ（アクリロニトリル・ブタジエン・スチレン共重合体）樹脂、ＰＢＴ（ポリブチレンテレフタレート）樹脂、ＰＰ（ポリプロピレン）樹脂、ＰＥ（ポリエチレン）樹脂、ＰＥＴ（ポリエチレンテレフタレート）樹脂、ＰＣＴＡ（ポリシクロヘキサンジメチレンテレフタレート）樹脂、ＰＯＭ（ポリアセタール）樹脂、アクリル樹脂、ＡＳ（アクリル二トリルスチレン共重合体）樹脂、ＰＳ（ポリスチレン）樹脂、熱可塑性エラストマー樹脂等が挙げられる。前熱可塑性エラストマー樹脂としては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。これらのエラストマーは一種を単独で又は２種以上を組み合わせて用いることもできる。
【００５１】
上述した突起１５，１６，１７は、合成樹脂製であることが好ましい。突起を形成する合成樹脂としては、例えば、上述した基台本体１１やブラシ基部１３ａの形成材料として用いられる各種の合成樹脂や、ナイロン、ナイロン６等のポリアミド樹脂等が挙げられる。剛性を低くして、ブラッシング時の毛髪に加わる荷重をより低減する観点から、第１突起１５，１７の形成材料はナイロンであることが好ましい。
【００５２】
ヘアブラシ１０の好ましい製造方法は、ヘッド基部１２ａを有する基台本体１１、ブラシ基部１３ａ、及び突起１５，１６，１７をそれぞれ射出成形等により形成する。得られたブラシ基部１３ａのブラシ面１３には、切削加工等の公知の方法を用いて、突起１５，１６，１７を立設させる植毛穴１８を形成し、該植毛穴１８に突起１５，１６，１７を植設する。そして、ブラシ面１３に突起１５，１６，１７が立設されたブラシ基部１３ａを、ヘッド基部１２ａの装着開口１２ｂに嵌め込んで固定する。
【００５３】
植毛穴１８に突起１５，１６，１７を立設する方法としては、公知の方法を採用することができる。例えば、植毛穴に棒状体を平線で２つ折りにして打ち込む方法や、植毛穴としての貫通孔に棒状体を挿入して、該貫通孔から突出する棒状体の片端部を加熱し、該端部に留め部２１を形成して固定する方法、植毛穴としての貫通孔に棒状体を挿入して、該貫通孔から突出する突起の片端部を配した金型内に溶融樹脂を注入し、該溶融樹脂を固化して形成した固定部２３によって該棒状体を固定する方法等を用いることができる。「植毛穴に棒状体を平線１９で２つ折りにして打ち込む方法」では、毛髪が突起の根元付近に挟まることを抑制する観点から、棒状体を２つ折りにしたときの一方の折り曲げ部がブラシ面１３から突出していないことが好ましい。斯かる構成により、１個の植毛穴につき、１本の突起を設けることができる。
【００５４】
本発明は上述した各実施形態に限定されることなく種々の変更が可能である。
例えば、上述した実施形態におけるブラシ面１３は平坦であったが、図８に示すヘアブラシ１０ａのように、ブラシ面１３は、幅方向Ｙに沿う断面において、突起の突出方向に突出するように湾曲していてもよい。
また、上述した実施形態における第１突起１５，１７はその先端に球状体１５ａ，１７ａを有していたが、図８に示すように、第１突起１５，１７はその先端に球状体１５ａ，１７ａを有していなくともよい。
また、上述した実施形態における第２突起１６はその先端に球状体１６ａを有していなかったが、図８に示すように、第２突起１６はその先端に球状体１６ａを有していてもよい。
【００５５】
上述した実施形態におけるヘアブラシ１０は、ブラシ面１３のサイド領域Ｓに、太突起として第１突起１５，１７より長さの短い第２突起１６を有していたが、図９に示すヘアブラシ１０ｂのように、第１突起１５，１７と長さが同じ太突起のみをサイド領域Ｓに有していてもよい。
【００５６】
本発明のヘアブラシは、主にヒトの頭髪のブラッシングに使用されるが、ペットや家畜等の身体や体毛のケア用に用いることもできる。
【実施例】
【００５７】
以下、実施例により本発明を更に詳細に説明する。しかしながら本発明の範囲は、かかる実施例に制限されない。
【００５８】
〔実施例１〕
実施例１として、下記表３に示す棒状突起が立設されたブラシ面と、該ブラシ面を有するヘッド部と、柄とを有するヘアブラシを製造した。また、実施例１のヘアブラシとして、第１小突起及び第１大突起を複数有する第１突起領域の全域に、細突起領域が形成されたものを作製した。ブラシ面は、幅方向の長さが６０ｍｍであり、長手方向の長さが６０ｍｍであった。各棒状突起は、長手方向及び幅方向に互いに離間させ、且つ千鳥状に設けた。第１小突起の幅方向における配置ピッチＰ１、及び第１小突起の長手方向における配置ピッチＰ３を下記表３に示す。ブラシ面には、第１小突起がヘアブラシの長手方向に９本直列した第１小突起列を８列設け、更に第１小突起の幅方向外方の両側にそれぞれ第１大突起がヘアブラシの長手方向に９本直列した第１大突起列を１列設けた。また、第１突起領域の幅方向外方の両側それぞれに、即ち第１大突起列の幅方向外側に、第２突起がヘアブラシの長手方向に９本直列した第２突起列を３列設けた。即ち、第１大突起列は、幅方向において第１小突起列と第２突起列との間に配置した。第１小突起列と第１大突起列との幅方向における離間距離を３ｍｍとし、第１大突起列と第２突起列との幅方向における離間距離を６ｍｍとし、第２突起列間の幅方向における離間距離を３ｍｍとした。第１小突起及び第１大突起は、ナイロン樹脂を用いて作製し、第２突起はポリエステル系エラストマー樹脂を用いて射出成形によって作製した。ヘアブラシの基台本体及びブラシ基部は、アクリル樹脂を用いて射出成形によって作製した。各棒状突起は、図７（ｂ）に示す突起と同様に、植毛穴である貫通孔に棒状体を挿入し、該棒状体におけるブラシ面とは反対側の端部を加熱して留め部を形成することによって固定した。
【００５９】
〔実施例２〕
ブラシ面の幅方向の長さを３０ｍｍとし、第１小突起の断面積を０．２７ｍｍ２とし、さらに第２突起及び第１大突起を設けなかった以外は、実施例１と同様にして、ヘアブラシを作製した。
【００６０】
〔実施例３〕
第１小突起の断面積を０．１８ｍｍ２とした以外は、実施例２と同様にして、ヘアブラシを作製した。
【００６１】
〔実施例４〕
第２突起を設けなかった以外は、実施例１と同様にして、ヘアブラシを作成した。
【００６２】
〔実施例５〕
第１小突起がヘアブラシの長手方向に９本直列した第１小突起列を４列設け、細突起領域の幅方向の長さを短くした以外は、実施例２と同様にして、ヘアブラシを作製した。
【００６３】
〔実施例６及び７〕
第１小突起の幅方向における配置ピッチＰ１を変更した以外は、実施例３と同様にして、ヘアブラシを作製した。
【００６４】
〔比較例１〕
第１小突起の断面積を０．０９ｍｍ２とした以外は、実施例４と同様にして、ヘアブラシを作製した。
【００６５】
〔比較例２〜４〕
第１小突起の断面積を変更した以外は、実施例２と同様にして、ヘアブラシを作製した。
【００６６】
〔比較例５〕
第１小突起がヘアブラシの長手方向に８本直列した第１小突起列を４列設け、第１小突起列の幅方向における配置ピッチＰ１を変更した以外は、実施例２と同様にして、ヘアブラシを作製した。
【００６７】
〔比較例６〕
第１小突起がヘアブラシの長手方向に１８本直列した第１小突起列を１６列設け、第１小突起の長手方向における配置ピッチＰ３を変更し、さらに第１大突起を設けなかった以外は、実施例４と同様にして、ヘアブラシを作製した。
【００６８】
〔比較例７〕
第１小突起がヘアブラシの長手方向に９本直列した第１小突起列を８列設け、第１小突起列の幅方向における配置ピッチＰ１、及び第１小突起列中の第１小突起の長手方向における配置ピッチＰ３を変更した以外は、比較例６と同様にして、ヘアブラシを作製した。
【００６９】
〔比較例８〕
第１小突起の断面積を０．０９ｍｍ２とした以外は、比較例７と同様にして、ヘアブラシを作製した。
【００７０】
〔比較例９〕
第１小突起がヘアブラシの長手方向に９本直列した第１小突起列を８列設けた以外は、比較例６と同様にして、ヘアブラシを作製した。
【００７１】
〔比較例１０〕
第１小突起の断面積を０．３３ｍｍ２とした以外は、比較例７と同様にして、ヘアブラシを作製した。
【００７２】
〔比較例１１〕
第１小突起の断面積を０．３３ｍｍ２とした以外は、比較例９と同様にして、ヘアブラシを作製した。
【００７３】
各実施例及び比較例におけるヘアブラシの構成を下記表３及び４に示す。表３及び４における棒状突起の断面積、長さ及び曲げ剛性、細突起領域における１０ｍｍ四方当たり第１突起、即ち第１小突起及び第１大突起の本数、細突起領域における第１突起の総数、ブラシ面の幅方向の全長Ｗに対する細突起領域の幅方向の長さＷ１、並びに細突起領域における第１突起の総断面積を、上述した方法により求めた。
【００７４】
〔評価用毛束〕
化学的処理履歴の無い日本人黒髪直毛で重さ４０ｇ、長さ３５ｃｍ、幅５．５ｃｍの毛束（トレス）を、市販のブリーチ剤（花王株式会社製、泡カラーハイブリーチ、１剤と２剤の混合比：１対２）でブリーチ処理した。このブリーチ処理として、以下の第１〜第３工程を行った。
第１工程：毛束と同質量の前記ブリーチ剤を該毛束に塗布し、３０分間室温で処理した後、４０℃の水道水で３０秒間すすぎ流した。
第２工程：次いで、毛束に、下記表１に処方を示すモデルシャンプーを３．０ｇ塗布して３０秒間泡立てて洗浄し、該毛束を４０℃の水道水で１分間すすぎ流した。
第３工程：次いで、毛束に対しタオルドライを行い、該毛束をドライヤー（TESCOM社製、商品名「NB1902」、600W温風）で、第１工程前の初期の乾燥状態の毛束重量と同等となるように完全に乾かした。ドライヤーによる乾燥は、毛束とドライヤー送風口との離間距離を１０ｃｍとし、乾燥時間を６分間とした。
前記ブリーチ処理を３回行った毛束を、評価用毛束とし、下記のブラッシング時の抵抗性及び毛髪の絡まり性について評価した。
【００７５】
【表１】
2020080880.tif 000003
【００７６】
〔ブラッシングの抵抗性及び毛髪の絡まり性の評価〕
評価用毛束を、４０℃の流水（水道水）で３０秒間濡らした後、表１に示すモデルシャンプーを３．０ｇ塗布し、３０秒間泡立てて洗浄し、さらに４０℃流水で１分間すすぎ流した。この評価用毛束に対し、下記表２に示すモデルコンディショナーを３．０ｇ塗布し、３０秒間なじませた後、４０℃の流水で１分間すすいで、水を指で軽く切り、タオルで３０秒間拭いた。
【００７７】
【表２】
2020080880.tif 000004
【００７８】
次いで、ドライヤー（TESCOM社製、商品名「NB1902」、600W温風）を用いて評価用毛束を、上記のブリーチ処理における第３工程と同様の方法で完全に乾燥した後、該評価用毛束に対し各実施例及び比較例で得たヘアブラシを用い、ブラッシングを１０回行い、ブラッシング時の抵抗性を評価した。さらに、このブラッシング後の評価用毛束に残った毛髪の絡まり性を評価した。
【００７９】
ブラッシング時の抵抗性の評価は、３名の専門パネラーが下記に示す５段階評価に基づき評価し、その平均点を評価点として算出した。評価点を下記表３及び４に示す。
５点：ブラッシング時の抵抗が弱い。
４点：ブラッシング時の抵抗がやや弱い。
３点：ブラッシング時の抵抗を感じる。
２点：ブラッシング時の抵抗がやや強い。
１点：ブラッシング時の抵抗が強い。
【００８０】
ブラッシング後の毛髪の絡まり性の評価は、３名の専門パネラーが、前記のブラッシング後の評価用毛束に指をとおした際の指どおりによって評価した。本評価は、下記に示す５段階評価に基づき評価し、その平均点を評価点として算出した。評価点を下記表３及び４に示す。
５点：指どおりが良好であり、毛髪の絡まりが残っていない。
４点：指どおりがやや良好であり、毛髪の絡まりがほぼ残っていない。
３点：毛髪の引っ掛かりを弱く感じる程度に、毛髪の絡まりがやや残っている。
２点：毛髪の引っ掛かりを感じる程度に、毛髪の絡まりが残っている。
１点：毛髪の引っ掛かりを強く感じる程度に、毛髪の絡まりが残っている。
【００８１】
【表３】
2020080880.tif 000005
【００８２】
【表４】
2020080880.tif 000006
【００８３】
上記の表３及び４に示すように、実施例１〜７のヘアブラシは、ブラッシング時の抵抗性の評価点が３．０点以上であり、ブラッシング後の毛髪の絡まり性の評価点が３．３以上であった。一方、比較例１〜１１のヘアブラシは、ブラッシング時の抵抗性及びブラッシング後の毛髪の絡まり性の何れか一方又は双方の評価点が３．０点を下回る評価であった。以上の結果から、実施例１〜７のヘアブラシでは、毛髪に対する抵抗を抑えながら、毛髪の絡まりを解消させることができた。即ち、軽い荷重で効果的にブラッシングすることができるため、ブラッシング時の毛髪へのダメージを低減することができる。
【符号の説明】
【００８４】
１０    ヘアブラシ
１１    基台本体
１２    ヘッド部
１２ａ  ヘッド基部
１２ｂ  装着開口
１２ｃ  柄
１３    ブラシ面
１３ａ  ブラシ基部
１５    第１小突起
１６    第２突起
１７    第１大突起
１８    植毛穴
Ａ    第１突起領域
Ａ１  細突起領域
Ｂ    太突起領域
Ｆ    仮領域
Ｘ    長手方向
Ｙ    幅方向
【図１】
2020080880.tif 000007
【図２】
2020080880.tif 000008
【図３】
2020080880.tif 000009
【図４】
2020080880.tif 000010
【図５】
2020080880.tif 000011
【図６】
2020080880.tif 000012
【図７】
2020080880.tif 000013
【図８】
2020080880.tif 000014
【図９】
2020080880.tif 000015